(57)【要約】【課題】複雑なスケジュール設定を行うことが可能であるコンテンツ再生システムおよびプログラムを提供する。【解決手段】ユーザがスマートフォン１００のタッチパネル２５を操作してスケジュール設定用アプリケーションプログラムを呼び出すと、図４（Ｂ）の画面が表示される。ユーザは、このスケジュール設定用ユーザインタフェースを用いることで、複雑なスケジュール設定を直感的に簡易な操作で行うことができる。設定されたスケジュール情報は、所定のタイミングでオーディオ装置１に転送される。例えば、スマートフォン１００の入出力Ｉ／Ｆ２６がオーディオ装置１の入出力Ｉ／Ｆ１６に物理的に接続された時点で転送される。転送されたスケジュール情報は、オーディオ装置１のＲＯＭ１３に記憶され、制御部１１によって読み出される。これにより、制御部１１は、スマートフォン１００で設定されたスケジュールに対応する動作を行うことになる。【選択図】図４
2014006948.tif 000002
【特許請求の範囲】
【請求項１】
コンテンツ再生装置と、当該コンテンツ再生装置に接続される外部装置と、からなるコンテンツ再生システムであって、
前記外部装置は、
スケジュール設定を受け付ける受付手段と、
当該外部装置が前記コンテンツ再生装置に接続されると、前記受付手段で受け付けたスケジュール設定に応じたスケジュール情報を前記コンテンツ再生装置に転送する転送手段と、
を備え、
前記コンテンツ再生装置は、
前記外部装置から前記スケジュール情報を受信する受信手段と、
前記受信手段が受信したスケジュール情報に応じてコンテンツを再生する再生手段と、
を備えたことを特徴とするコンテンツ再生システム。
【請求項２】
前記スケジュール情報は、再生対象のコンテンツを指定する情報が含まれ、
前記再生手段は、前記スケジュール情報で指定されたコンテンツを再生することができない場合、当該指定されたコンテンツに代えて、再生可能な別のコンテンツを再生することを特徴とする請求項１に記載のコンテンツ再生システム。
【請求項３】
前記コンテンツ再生装置は、
スケジュール設定を受け付ける本体受付手段をさらに備え、
前記再生手段は、前記本体受付手段で受け付けたスケジュール設定に応じたスケジュール情報を優先して、当該スケジュール情報に応じてコンテンツを再生することを特徴とする請求項１または請求項２に記載のコンテンツ再生システム。
【請求項４】
前記外部装置は、番組表を表示する表示手段を備え、
前記受付手段は、前記表示手段に表示された番組表に対応する各番組を前記スケジュール設定として受け付け、
前記転送手段は、前記受付手段が受け付けた番組の時刻およびチャンネルに対応する情報を前記スケジュール情報として転送することを特徴とする請求項１乃至請求項３のいずれかに記載のコンテンツ再生システム。
【請求項５】
前記受付手段は、前記スケジュール設定の転送開始指示をさらに受け付け、
前記転送手段は、当該外部装置が前記コンテンツ再生装置に接続され、かつ前記受付手段で前記転送開始指示を受け付けたとき、前記スケジュール情報を前記外部装置に転送することを特徴とする請求項１乃至請求項４のいずれかに記載のコンテンツ再生システム。
【請求項６】
コンテンツ再生装置と、当該コンテンツ再生装置に接続される外部装置と、に実行されるプログラムであって、
前記外部装置に、
スケジュール設定を受け付ける受付ステップと、
当該外部装置が前記コンテンツ再生装置に接続されると、前記受付ステップで受け付けたスケジュール設定に応じたスケジュール情報を前記外部装置に転送する転送ステップと、
を実行させ、
前記コンテンツ再生装置に、
前記外部装置から前記スケジュール情報を受信する受信ステップと、
前記受信ステップで受信したスケジュール情報に応じてコンテンツを再生する再生ステップと、
を実行させることを特徴とするプログラム。
【発明の詳細な説明】
【技術分野】
【０００１】
この発明は、予め設定されたスケジュールに応じてコンテンツを再生するコンテンツ再生システムおよびプログラムに関する。
【背景技術】
【０００２】
オーディオ装置では、予め設定された時刻にアラーム音を発する機能が搭載されている。近年、装置内に記憶されたアラーム音だけでなく、携帯電話等の外部装置から任意の音データを入力し、当該入力した音データを再生するシステムも提案されている（例えば特許文献１を参照）。
【先行技術文献】
【特許文献】
【０００３】
【特許文献１】特開２００３−９０８８９号公報
【発明の概要】
【発明が解決しようとする課題】
【０００４】
しかし、オーディオ装置に設けられたユーザインタフェースは、ＬＥＤ等の表示器や数個のボタン程度の簡易的なものであるため、複雑なスケジュール設定を行うことが困難であった。
【０００５】
そこで、本発明は、複雑なスケジュール設定を簡易な操作で行うことが可能であるコンテンツ再生システムを提供することを目的とする。
【課題を解決するための手段】
【０００６】
この発明のコンテンツ再生システムは、コンテンツ再生装置と、当該コンテンツ再生装置に接続される外部装置と、からなる。前記外部装置は、スケジュール設定を受け付ける受付手段と、当該外部装置が前記コンテンツ再生装置に接続されると、前記受付手段で受け付けたスケジュール設定に応じたスケジュール情報を前記コンテンツ再生装置に転送する転送手段と、を備えている。そして、前記コンテンツ再生装置は、前記外部装置から前記スケジュール情報を受信する受信手段と、前記受信手段が受信したスケジュール情報に応じてコンテンツを再生する再生手段と、を備えている。
【０００７】
このように、本発明のコンテンツ再生システムは、コンテンツ再生装置に接続される外部装置を用いてスケジュール設定を行う。外部装置は、携帯電話や携帯オーディオプレーヤ等の種々の装置が考えられるが、一般的にはコンテンツ再生装置よりも視認性および操作性に優れたユーザインタフェースを有する。したがって、本発明のコンテンツ再生システムでは、コンテンツ再生装置本体では設定することが困難であった複雑なスケジュール設定を簡易な操作で行うことが容易になる。例えば、曜日毎に異なる時刻にアラーム音を発するようにスケジュール設定を行う、曜日毎に異なるソースのオーディオデータを再生するようにスケジュール設定を行う等、従来のオーディオ装置本体のユーザインタフェースだけでは設定することができなかった複雑なスケジュール設定を行うことができる。
【０００８】
なお、スケジュール情報は、再生対象のコンテンツを指定する情報が含まれ、前記再生手段は、前記スケジュール情報で指定されたコンテンツを再生することができない場合、当該指定されたコンテンツに代えて、再生可能な別のコンテンツを再生する態様とすることも可能である。
【０００９】
例えば、外部装置の記憶部に記憶されているオーディオデータを再生するようにスケジュール設定がなされていた場合において、指定された時刻に当該外部装置が接続されていない場合、外部装置のオーディオデータを再生することができない。この場合、オーディオ装置は、例えば自装置の記憶部に記憶されているプリセット音（例えばアラーム音）を発する。
【００１０】
また、前記コンテンツ再生装置は、スケジュール設定を受け付ける本体受付手段をさらに備え、前記再生手段は、前記本体受付手段で受け付けたスケジュール設定に応じたスケジュール情報を優先して、当該スケジュール情報に応じてコンテンツを再生する態様とすることも可能である。
【００１１】
この場合、オーディオ装置本体側でスケジュール設定を受け付けるため、例えば時刻の変更程度などの微調整を行うことが可能である。
【００１２】
また、前記外部装置は、番組表を表示する表示手段を備え、前記受付手段は、前記表示手段に表示された番組表に対応する各番組を前記スケジュール設定として受け付け、前記転送手段は、前記受付手段が受け付けた番組の時刻およびチャンネルに対応する情報を前記スケジュール情報として転送する態様とすることも可能である。
【００１３】
この場合、ユーザは、外部装置に表示されている番組表のうち特定の番組を選択するだけで、当該番組の時刻およびチャンネルに対応する情報（例えばラジオの周波数に関する情報）がスケジュール情報として転送されるため、時刻や曜日、ソース等の選択を容易に実現することが可能になる。
【００１４】
また、スケジュール情報は、外部装置がオーディオ装置に接続された時点で転送される態様としてもよいが、外部装置において転送開始指示をさらに受け付け、外部装置がオーディオ装置に接続され、かつ転送開始指示を受け付けた時点で転送する態様としてもよい。
【発明の効果】
【００１５】
この発明によれば、コンテンツ再生装置側に簡易的なユーザインタフェースしか存在しない場合であっても複雑なスケジュール設定を行うことができる。
【図面の簡単な説明】
【００１６】
【図１】コンテンツ再生システムの構成を示す外観図である。
【図２】オーディオ装置１の構成を示すブロック図である。
【図３】スマートフォン１００の構成を示すブロック図である。
【図４】図４（Ａ）はスケジュール情報を示す図であり、図４（Ｂ）はスケジュール設定のインタフェース例を示す図である。
【図５】スマートフォン１００およびオーディオ装置１の動作を示すフローチャートである。
【図６】スケジュール設定の応用例を示す図である。
【発明を実施するための形態】
【００１７】
図１は、本発明のコンテンツ再生システムを構成するオーディオ装置および多機能携帯電話（以下、スマートフォンと呼ぶ。）の構成を示す外観図である。図２は、オーディオ装置の主要構成を示すブロック図である。図３は、スマートフォンの構成を示すブロック図である。
【００１８】
オーディオ装置は、本発明のコンテンツ再生装置に対応する。オーディオ装置以外にも、ＰＣやＤＶＤプレーヤ等も本発明のコンテンツ再生装置に対応する。スマートフォンは、本発明の外部装置に対応する。スマートフォン以外も、ＰＣやタブレットデバイス、携帯オーディオプレーヤ等も本発明の外部装置に対応する。
【００１９】
オーディオ装置１は、外観上、直方体形状の筐体を有し、筐体正面に表示器１２、スピーカ１７を備えている。また、オーディオ装置１は、筐体正面および筐体上面にユーザインタフェース（Ｉ／Ｆ）１５を備えている。筐体上面には、スマートフォン１００を搭載するための入出力インタフェース（Ｉ／Ｆ）１６が設けられている。
【００２０】
表示器１２は、例えばＬＥＤからなる簡易的な表示機能を有するものであり、主に日付、曜日、時刻の表示を行う。また、再生状態（ＰＬＡＹ，ＰＡＵＳＥ，ＳＴＯＰ等）、再生中のコンテンツのソース、再生時間等の表示も行う。
【００２１】
オーディオ装置１は、内蔵メモリに記憶されたコンテンツ、内蔵チューナで復調したコンテンツ、内蔵ＣＤドライブ（不図示）に挿入されているＣＤに記憶されたコンテンツ、あるいは外部メモリに記憶されたコンテンツを再生する。本実施形態では、基本動作として、オーディオデータを再生し、スピーカ１７から音として出力する例を説明する。
【００２２】
オーディオ装置１は、図２に示すように、制御部１１、表示器１２、ＲＯＭ（ＥＥＰＲＯＭやフラッシュメモリのように書き換え可能であるもの）１３、時計機能部１４、ユーザＩ／Ｆ（本発明の本体受付手段に対応する）１５、入出力Ｉ／Ｆ１６、スピーカ１７、ＲＡＭ１８、およびチューナ１９を備えている。
【００２３】
制御部１１は、オーディオ装置１を統括的に制御する機能部であり、ＲＯＭ１３に記憶されているプログラムを読み出し、ＲＡＭ１８に展開することで種々の動作を行う。
【００２４】
制御部１１は、ユーザＩ／Ｆ１５を介してユーザから指定されたオーディオデータの再生を行う。例えば、ユーザＩ／Ｆ１５を介してユーザがラジオをソースとして選択指示した場合、制御部１１は、チューナ１９に指定された周波数の受信音波について復調処理をさせ、音声信号を生成する。制御部１１は、この音声信号をスピーカ１７に入力し、スピーカ１７から音として出力させる。
【００２５】
また、ＲＯＭ１３には、プリセット音（例えばアラーム音）のデータが記憶されている。制御部１１は、このプリセット音のデータを読み出し、音声信号に変換してスピーカ１７から音として出力させることも可能である。
【００２６】
また、制御部１１は、入出力Ｉ／Ｆ１６を介してスマートフォン１００からオーディオデータを受信し、デコード処理やＤ／Ａ変換処理を行って音声信号に変換し、スピーカ１７から音として出力させることも可能である。
【００２７】
なお、制御部１１がデコード処理、Ｄ／Ａ変換処理、あるいは増幅処理等を行ってもよいが、それぞれの処理を行う専用のハードウェアを設けてもよい。
【００２８】
制御部１１は、各種ソースのコンテンツを再生しているとき、再生状態（例えばＰＬＡＹ）、再生中のコンテンツのソース（例えばＲＡＤＩＯ）、再生時間等の表示を行うように、表示器１２を制御する。また、制御部１１は、時計機能部１４から現在時刻を示す情報を入力し、当該現在時刻に対応した時刻表示を行うように、表示器１２を制御する。
【００２９】
次に、オーディオ装置１のスケジュール動作について説明する。ＲＯＭ１３には、図４（Ａ）に示すようなスケジュール情報が記憶されている。制御部１１は、このスケジュール情報を読み出し、指定された時刻に指定されたソースのコンテンツを再生する処理を行う。
【００３０】
図４（Ａ）に示すスケジュール情報には、「日付」、「曜日」、および「時刻」からなる再生開始タイミングを示す情報、「選択曲」からなるソースを指定する情報、および「音量」の情報が含まれている。制御部１１は、スケジュール情報に含まれる再生開始タイミングになった時点で、指定されたソースのコンテンツを読み出し、指定された音量で再生する処理を行う。例えば、図４（Ａ）のスケジュール情報の最上欄の例においては、２０１２年５月３１日の午前８時にＣＤの２曲目を音量１０で再生する情報が含まれているため、制御部１１は、時計機能部２４から時刻を示す情報を受信し、この２０１２年５月３１日の午前８時になった時点で、内蔵ＣＤドライブ（不図示）に挿入されているＣＤの２曲目を音量１０で再生する処理を行う。また、例えば、図４（Ａ）のスケジュール情報の最下欄の例においては、日付の記載がなく、火曜日の午前８時に外部装置のファイル番号１２を音量５で再生する情報が含まれている。したがって、制御部１１は、時計機能部２４から時刻を示す情報を受信し、毎週火曜日の午前８時になった時点で、外部装置にファイル番号１２のオーディオデータを再生するように指示を行い、当該再生信号を受信して、音量５で出力する処理を行う。なお、図中に示す音量とは、最大値を１０、最小値（無音）を０、中間値を５とした相対的な音量値を示すものであり、実際の音量レベル（ｄＢ）を示したものではない。
【００３１】
無論、この例に示した項目以外にもスヌーズの有無、特殊処理（例えば指定時刻より少し前に緩やかに音量を上げる処理等）の有無、がスケジュール情報として規定されていてもよい。
【００３２】
このスケジュール情報は、オーディオ装置１本体におけるユーザＩ／Ｆ１５を用いて設定することが可能である。ただし、オーディオ装置１におけるユーザインタフェースは、数個のボタン程度の簡易的なものであるため、複雑なスケジュール設定を行うことが困難である。
【００３３】
そこで、本実施形態のコンテンツ再生システムでは、外部装置であるスマートフォン１００を用いてスケジュール設定を行い、所定のタイミングでオーディオ装置１に転送することで、より複雑なスケジュール設定を簡単な操作で実現するものである。
【００３４】
図３を参照してスマートフォン１００の構成および機能について説明する。スマートフォン１００は、制御部２１、表示器２２、ＲＯＭ（ＥＥＰＲＯＭやフラッシュメモリのように書き換え可能であるもの）２３、時計機能部２４、タッチパネル（本発明の受付手段に対応する）２５、入出力Ｉ／Ｆ２６、音声出力部２７、ＲＡＭ２８、および通信部２９を備えている。上述したように、スマートフォン１００は、入出力Ｉ／Ｆ２６を介してオーディオ装置１の入出力Ｉ／Ｆ１６に物理的に接続される。
【００３５】
スマートフォン１００は、通信機能や電話機能、オーディオ再生機能等の他種類の機能を搭載した複合デバイスであり、この例においては、主にオーディオデータの再生やスケジュール設定についての構成および機能を示し、他の構成および機能については図示および説明を省略する。
【００３６】
制御部２１は、スマートフォン１００を統括的に制御する機能部であり、ＲＯＭ２３に記憶されているプログラムを読み出し、ＲＡＭ２８に展開することで種々の動作を行う。
【００３７】
例えば、制御部２１は、タッチパネル２５を介してユーザから指定されたオーディオデータの再生を行う。タッチパネル２５を介してユーザがＲＯＭ２３に記憶されているオーディオデータを再生指示した場合、制御部２１は、指定されたオーディオデータを読み出して、デコード処理やＤ／Ａ変換処理を行い、音声信号を生成する。制御部２１は、この音声信号を音声出力部２７に入力し、音声出力部２７から音として出力させる。また、制御部２１は、オーディオ装置１から所定のオーディオデータの再生指示を受信した場合、指定されたオーディオデータをＲＯＭ２３から読み出し、制御部２１でデコード処理をした後、入出力Ｉ／Ｆ２６を介してオーディオ装置１に出力する処理を行う。
【００３８】
図４（Ｂ）は、スケジュール設定のインタフェース例を示す図である。表示器２２には、図４（Ｂ）に示すようなスケジュール設定画面が表示される。ユーザがタッチパネル２５を操作してスケジュール設定用アプリケーションプログラムを呼び出すと、この画面が表示される。スケジュール設定画面には、最上部に現在の日付および時刻が表示され、その下には保存（ＳＡＶＥ）ボタン２０１および戻る（ＢＡＣＫ）ボタンが表示されている。ＢＡＣＫボタンの表示は必須ではない。
【００３９】
また、ＳＡＶＥアイコン２０１の下欄には、各スケジュール設定に対応する情報（レコード）が表示される。この例では、左欄から順にソース選択アイコン２０２、時刻設定アイコン２０３、および音量設定アイコン２０４が表示されている。ユーザは、ソース選択アイコン２０２を選択すると、再生対象のコンテンツを選択することができる。この例では、最上欄において、オーディオ装置１の内蔵ＣＤドライブ（不図示）に挿入されているＣＤの２曲目が再生対象として設定されている。その下欄においては、ラジオの所定周波数（ＦＭ７６．５ＭＨｚ）が再生対象として設定され、最下欄においては、スマートフォン１００内のオーディオデータ（ファイル番号１２）が再生対象として設定されている。
【００４０】
ユーザは、時刻設定アイコン２０３を選択すると、再生開始の日付、時刻を設定することができる。この例では、最上欄において、２０１２年５月３１日の午前８時が再生開始タイミングとして設定されている。その下欄においては、２０１２年６月９日の午前９時が再生開始タイミングとして設定されている。一方、最下欄の例のように、曜日および時刻を指定して、毎週特定の曜日（この例では火曜日）の特定の時刻（この例では午前８時）にコンテンツを再生するスケジュール設定を行うことも可能である。
【００４１】
ユーザは、音量設定アイコン２０４を選択すると、再生時の音量を設定することができる。この例では、最上欄において、最大音量（音量１０）が設定されている。その下欄、および最下欄においては、中間音量（音量５）が設定されている。
そして、ユーザは、ＳＡＶＥアイコン２０１を操作することで、各レコードに設定されたスケジュールがスケジュール情報（スケジュールファイル）として保存される。
【００４２】
このように、スマートフォン１００の表示器２２およびタッチパネル２５からなるスケジュール設定用ユーザインタフェースを用いることで、ユーザは、複雑なスケジュール設定を直感的に簡易な操作で行うことができる。
【００４３】
スマートフォン１００で設定されたスケジュールに対応するスケジュール情報（スケジュールファイル）は、所定のタイミングでオーディオ装置１に転送される。例えば、スマートフォン１００の入出力Ｉ／Ｆ２６がオーディオ装置１の入出力Ｉ／Ｆ１６に物理的に接続された時点で転送される。転送されたスケジュール情報は、オーディオ装置１のＲＯＭ１３に記憶され、制御部１１によって読み出される。このようにして、図４（Ｂ）に示すスケジュール設定画面で設定した内容が、図４（Ａ）に示すオーディオ装置１に保持されるスケジュール情報に反映される。これにより、制御部１１は、スマートフォン１００で設定されたスケジュールに対応する動作を行うことになる。
【００４４】
なお、スケジュール情報は、オーディオ装置１本体におけるユーザＩ／Ｆ１５を用いて変更することも可能であるため、オーディオ装置１本体側で、例えば時刻の変更程度等の微調整を行うことが可能である。なお、この場合、微調整したスケジュール情報を書き換えないようスマートフォン１００から転送されるスケジュール情報と本体側のユーザＩ／Ｆ１５で更新されたスケジュール情報と、のどちらを優先するのかを、ユーザＩ／Ｆ１５を用いて設定する（切り替える）ようにしてもよい。
【００４５】
次に、図５のフローチャートを参照してスマートフォン１００およびオーディオ装置１の動作について説明する。
【００４６】
図５（Ａ）および図５（Ｂ）は、スマートフォン１００の動作を示すフローチャートであり、図５（Ｃ）および図５（Ｄ）は、オーディオ装置１の動作を示すフローチャートである。
【００４７】
まず、図５（Ａ）において、スマートフォン１００の制御部２１は、図４（Ｂ）に示したスケジュール設定画面においてスケジュール保存を受け付けたか否かを判断する（ｓ１１）。スケジュール保存を受け付けていない場合には動作を終え、スケジュール保存を受け付けた場合、対応するスケジュール情報を生成する（ｓ１２）。生成したスケジュール情報は、ＲＡＭ２８またはＲＯＭ２３に保持される。
【００４８】
次に、図５（Ｂ）において、制御部２１は、スマートフォン１００がオーディオ装置１に接続されたか否かを判断する（ｓ１３）。スマートフォン１００がオーディオ装置１に接続されるまではこの判断を繰り返す。スマートフォン１００がオーディオ装置１に接続された場合、スケジュール情報が存在するか否かを判断する（ｓ１４）。スケジュール情報がない場合、動作を終える。
【００４９】
Ｓ１４においてスケジュール情報があると判断した場合、当該スケジュール情報をオーディオ装置１に転送する（Ｓ１５）。
【００５０】
以上のようにスマートフォン１００で任意のタイミングでスケジュール情報を作成した後、スマートフォン１００がオーディオ装置１に接続された時点で当該スケジュール情報がオーディオ装置１に転送される。
【００５１】
一方、オーディオ装置１の制御部１１は、まず図５（Ｃ）に示すように、スケジュール情報の転送があるか否かを判断する（ｓ２１）。スケジュール情報の転送があるまで当該判断は繰り返す。スケジュール情報が転送された場合、当該スケジュール情報をＲＯＭ１３に記憶する。
【００５２】
なお、スマートフォン１００から転送されるスケジュール情報よりも本体側のユーザＩ／Ｆ１５で更新されたスケジュール情報を優先する場合、本体側のユーザＩ／Ｆ１５でスケジュール情報が更新される際に、当該スケジュール情報に所定のフラグを設定しておき、ｓ２２においてＲＯＭ１３に既に記憶されているスケジュール情報に上記フラグが設定されていた場合には、オーディオ装置１から転送されたスケジュール情報をＲＯＭ１３には記憶しないようにすればよい。このとき、スマートフォン１００には、エラー情報を返送し、表示器２２において「本体の設定が優先されているため、アラーム設定ができません」等のメッセージを表示するようにしてもよい。または、単にユーザＩ／Ｆ１５でスケジュール情報の転送を受け付けるか否かを設定できるようにしておいてもよい。
【００５３】
一方、オーディオ装置１の制御部１１は、図５（Ｄ）に示すように、ＲＯＭ１３に記憶されているスケジュール情報を読み出し、現在時刻が当該スケジュール情報で指定された時刻になったか否かを判断する（ｓ２３）。指定された時刻でない場合には、ｓ２３の判断を繰り返す。
【００５４】
制御部１１は、現在時刻が指定された時刻になったと判断した場合、スケジュール情報に指定されたソースのコンテンツが再生可能であるか否かを判断する（ｓ２４）。例えば、図４（Ａ）の最上欄で示したように、内蔵ＣＤドライブ（不図示）に挿入されたＣＤの２曲目を再生するように指示されている場合において、ＣＤに２曲目が存在しない（１曲しか記憶されていない）、ＣＤが挿入されていない、または自装置にＣＤドライブが存在しない、という状況である場合、スケジュール情報に指定されたソースのコンテンツが再生不可能であると判断する。この場合、指定されたコンテンツに代えて、再生可能な別のコンテンツを再生する。この例では、ＲＯＭ１３に記憶されているプリセット音を再生する（ｓ２５）。スケジュール情報に指定されたソースのコンテンツが再生可能である場合、当該指定されたソースのコンテンツを再生する（ｓ２６）。
【００５５】
なお、スマートフォン１００とオーディオ装置１との接続は、入出力Ｉ／Ｆ１６および入出力Ｉ／Ｆ２６を介した物理的な接続に限るものではない。オーディオ装置１に無線通信機能部を設け、当該無線通信機能部と、上記通信部２９を介してスマートフォン１００とオーディオ装置１とを接続する態様も可能である。この場合、スマートフォン１００とオーディオ装置１の無線接続が確立された時点でスケジュール情報を転送してもよいし、無線接続が確立され、かつ図５（Ｂ）のｓ１４で示したように、ユーザが転送指示を行った時点でスケジュール情報を転送してもよい。
【００５６】
次に、図６は、スケジュール設定の応用例を示す図である。この例では、図４（Ｂ）に示したスケジュール設定画面に代えて、番組表（ラジオ欄）を表示器２２に表示し、スケジュール設定を受け付けるものである。番組表は、通信部２９を介して任意のタイミングで受信される。
【００５７】
ユーザがタッチパネル２５を操作して番組表を呼び出すと、この画面が表示される。番組表には、放送局の一覧と各番組の開始時刻、番組の内容が一覧表として表示されている。この例では、ユーザが各番組の表示されている領域を選択すると、当該番組に対応するスケジュール情報が生成される。例えば、「Ａ放送：７６．５ＭＨｚ」のラジオ放送において、６月９日の午前８時５５分から放送開始される「ＡＡＡモーニング」という番組名を選択した場合、当該６月９日の午前８時５５分を再生開始の日付および時刻とし、ラジオのＦＭ７６．５ＭＨｚを再生対象としたスケジュール情報が生成される。
【００５８】
したがって、ユーザは、表示器２２に表示されている番組表のうち特定の番組を選択するだけで、当該番組の時刻およびチャンネルに対応する情報（例えばラジオの周波数に関する情報）がスケジュール情報としてオーディオ装置１に転送されるため、時刻や曜日、ソース等の指定をごく簡単な操作で実現することが可能になる。
【符号の説明】
【００５９】
１…オーディオ装置
１１…制御部
１２…表示器
１３…ＲＯＭ
１４…時計機能部
１５…ユーザＩ／Ｆ
１６…入出力Ｉ／Ｆ
１７…スピーカ
１８…ＲＡＭ
１９…チューナ
２１…制御部
２２…表示器
２３…ＲＯＭ
２４…時計機能部
２５…タッチパネル
２６…入出力Ｉ／Ｆ
２７…音声出力部
２８…ＲＡＭ
２９…通信部
【図１】
2014006948.tif 000003
【図２】
2014006948.tif 000004
【図３】
2014006948.tif 000005
【図４】
2014006948.tif 000006
【図５】
2014006948.tif 000007
【図６】
2014006948.tif 000008